【手続補正書】
【提出日】平成30年6月14日(2018.6.14)
【手続補正１】
【補正対象書類名】特許請求の範囲
【補正対象項目名】全文
【補正方法】変更
【補正の内容】
【特許請求の範囲】
【請求項１】
建物内の空間である第１空間部と、前記第１空間部と異なる前記建物内の空間であり空調されていない第２空間部と、の間を連通させるダクトと、
前記ダクトを介して前記第１空間部の空気を前記第２空間部に送風するための空気流を発生させる送風機と、
前記送風機に対して複数の風量レベルのうちいずれかの風量レベルで前記送風機の運転を制御する情報収集ユニットと、
前記ダクトの端部に接続されて前記第２空間部に設けられ、上下方向のうち、前記ダクトを介して前記第１空間部から前記第２空間部に搬送される前記第１空間部の空気が前記第２空間部の空気との密度の違いにより前記第２空間部内で移動する方向と逆の方向から、前記第１空間部の空気を前記第２空間部内に給気するための給気口と、
を備えることを特徴とする空気調和システム。
【請求項２】
前記情報収集ユニットは、現在の季節を判定した結果に基づいて前記送風機を運転させる制御を行うこと、
を特徴とする請求項１に記載の空気調和システム。
【請求項３】
前記情報収集ユニットは、通信により取得した気象データに基づいて、または前記情報収集ユニットの有するカレンダー機能から取得した日付情報に基づいて、現在の季節を判定すること、
を特徴とする請求項２に記載の空気調和システム。
【請求項４】
前記情報収集ユニットは、前記第１空間部に設置された空気調和機の運転を検知した場合に、前記送風機の風量を増加させる制御を行うこと、
を特徴とする請求項２または３に記載の空気調和システム。
【請求項５】
前記第１空間部として、前記第２空間部よりも温度の高い前記第１空間部と、前記第２空間部よりも温度の低い他の前記第１空間部とがあり、
前記ダクトは、前記第２空間部よりも温度の高い前記第１空間部と、前記第２空間部よりも温度の低い他の前記第１空間部と、前記第２空間部とを連通させ、
前記送風機は、前記空気流を発生させる方向を変更可能であり、
前記第２空間部よりも温度の高い前記第１空間部と前記第２空間部とを連通する送風路と、前記第２空間部よりも温度の低い他の前記第１空間部と前記第２空間部とを連通する送風路とに前記ダクトの風路を切り替える第１風路切り替え部を備え、
前記情報収集ユニットは、前記現在の季節に基づいて、前記第１風路切り替え部を切り替えるとともに前記送風機が発生させる空気流の方向を制御すること、
を特徴とする請求項２から４のいずれか１つに記載の空気調和システム。
【請求項６】
前記第２空間部よりも温度の高い前記第１空間部が屋根裏であり、
前記第２空間部よりも温度の低い他の前記第１空間部が床下であること、
を特徴とする請求項５に記載の空気調和システム。
【請求項７】
前記第１空間部は、空気調和機が設置された部屋であり、
前記情報収集ユニットは、前記空気調和機の運転を検知した場合に、前記送風機を運転させる制御を行うこと、
を特徴とする請求項１に記載の空気調和システム。
【請求項８】
前記情報収集ユニットは、前記第２空間部への人の入室を検知した場合に、前記送風機の風量を増加させる制御を行うこと、
を特徴とする請求項７に記載の空気調和システム。
【請求項９】
前記第２空間部が洗面所であり、
前記情報収集ユニットは、前記洗面所の照明が点灯したこと、前記洗面所の換気扇が運転したこと、または前記洗面所に配置された給湯器の操作部が操作されたことを検知した場合に、前記第２空間部へ人が入室したと判定すること、
を特徴とする請求項８に記載の空気調和システム。
【請求項１０】
前記給気口が前記第１空間部の天井面と前記第１空間部の床面とに設けられ、
前記ダクトが、前記第１空間部の天井面側の空間と、前記第１空間部の床面側の空間と、前記第２空間部とを連通させ、
前記送風機は、前記空気流を発生させる方向を変更可能であり、
前記第１空間部の天井面に設けられた前記給気口と前記第２空間部とを連通する送風路と、前記第１空間部の床面に設けられた前記給気口と前記第２空間部とを連通する送風路と、に前記ダクトの風路を切り替える第２風路切り替え部を備え、
前記情報収集ユニットは、前記空気調和機の運転が暖房運転であるか冷房運転であるかにより、前記第２風路切り替え部を切り替えるとともに前記送風機が発生させる空気流の方向を制御すること、
を特徴とする請求項７から９のいずれか１つに記載の空気調和システム。
【手続補正２】
【補正対象書類名】明細書
【補正対象項目名】００７０
【補正方法】変更
【補正の内容】
【００７０】
なお、ここでは、居住者が１階の居室１２に設置された空気調和機１１０を冷房運転させた場合について説明したが、空気調和機１１０の冷房運転が行われる部屋は、２階の居室１４でもよい。１階の居室１２または２階の居室１４において空気調和機１１０の冷房運転が行われることにより、床下１６の空気の温度は、空気調和機が設置されていない部屋である洗面所１３の室温と比較して相対的に低い温度となる。
【手続補正３】
【補正対象書類名】明細書
【補正対象項目名】００７７
【補正方法】変更
【補正の内容】
【００７７】
ステップＳ１４０に戻って、空気調和機１１０から冷房運転の空調機運転情報を受信している場合、すなわちステップＳ１４０においてＹｅｓの場合は、ステップＳ１７０において、第２情報収集ユニット４２のユニット制御部９２は運転指示情報として風量の大きい大風量運転を指示する大風量運転指示情報を、第２情報収集ユニット４２のユニット通信部９４を介して第２送風機３２の送風機制御部８２に送信する。
【手続補正４】
【補正対象書類名】明細書
【補正対象項目名】０１２１
【補正方法】変更
【補正の内容】
【０１２１】
そして、第４給気口６４は、第４ダクト２４の端部に接続されて洗面所１３に設けられ、上下方向のうち、第４ダクト２４を介して１階の居室１２から洗面所１３に搬送される１階の居室１２の空気が洗面所１３の空気との密度の違いにより洗面所１３内で移動する方向と逆の方向から、１階の居室１２の空気を洗面所１３内に給気する。すなわち、第４給気口６４は、洗面所の天井面１３ｂに配置されている。洗面所１３の空気よりも相対的に温度の低い１階の居室１２の空気を洗面所１３内に供給した場合には、洗面所１３の空気よりも温度が低く密度が大きい１階の居室１２の空気は、洗面所１３の下方、すなわち洗面所の床面１３ａ側に移動して滞留する。このため、床下１６から搬送された相対的に温度の低い空気を洗面所の天井面１３ｂ側から洗面所１３内に供給することにより、効率的に洗面所１３を冷やすことができる。
【手続補正５】
【補正対象書類名】明細書
【補正対象項目名】０１４６
【補正方法】変更
【補正の内容】
【０１４６】
本実施の形態５にかかる空気調和システム５では、２つの風路調整ダンパー７５ａ，７５ｂを切り替えることにより、第５ダクト２５内の風路を、第１給気口６１を介して屋根裏１５の空間と洗面所１３の床面側の空間とを連通させる第１風路部と、第２給気口６２を介して床下１６の空間と洗面所１３の天井面側の空間とを連通させる第２風路部と、に切り替えることができる。すなわち、２つの風路調整ダンパー７５ａ，７５ｂは、第２空間部よりも温度の高い第１空間部と第２空間部とを連通する送風路と、第２空間部よりも温度の低い第１空間部と第２空間部とを連通する送風路とに第５ダクト２５内の風路を切り替える。
【手続補正６】
【補正対象書類名】明細書
【補正対象項目名】０１４８
【補正方法】変更
【補正の内容】
【０１４８】
そして、本実施の形態５にかかる空気調和システム５では、２つの風路調整ダンパー７５ａ，７５ｂを切り替えて屋根裏１５の空間と洗面所１３の空間とを連通させる第１風路部を第５ダクト２５内に構成し、第５送風機３５により屋根裏１５から洗面所１３に向かう方向の空気流を第５ダクト２５内に発生させることにより、屋根裏１５で自然に暖められた空気を洗面所１３に搬送することができる。また、本実施の形態５にかかる空気調和システム５では、２つの風路調整ダンパー７５ａ，７５ｂを切り替えて床下１６の空間と洗面所１３の空間とを連通させる第２風路部を第５ダクト２５内に構成し、第５送風機３５により床下１６から洗面所１３に向かう方向の空気流を第５ダクト２５内に発生させることにより、床下１６で自然に冷やされた空気を洗面所１３に搬送することができる。
【手続補正７】
【補正対象書類名】明細書
【補正対象項目名】０１５９
【補正方法】変更
【補正の内容】
【０１５９】
そして、本実施の形態６にかかる空気調和システム６では、１階の居室１２で空気調和機１１０が暖房運転を開始した場合には、２つの風路調整ダンパー７６ａ，７６ｂを切り替えて第３風路部を第６ダクト２６内に構成し、第６送風機３６により１階の居室の天井面１２ｂ側から洗面所１３の床面側に向かう方向の空気流を第６ダクト２６内に発生させることにより、１階の居室１２で空気調和機１１０により暖められた空気を洗面所１３に搬送することができる。また、本実施の形態６にかかる空気調和システム６では、１階の居室１２で空気調和機１１０が冷房運転を開始した場合には、２つの風路調整ダンパー７６ａ，７６ｂを切り替えて１階の居室の床面１２ａ側の空間と洗面所１３の天井面側の空間とを連通させる第４風路部を第６ダクト２６内に構成し、第６送風機３６により１階の居室の床面１２ａ側から洗面所１３の天井面側に向かう方向の空気流を第６ダクト２６内に発生させることにより、１階の居室１２で空気調和機１１０により冷やされた空気を洗面所１３に搬送することができる。